(57)【要約】【課題】複数の電子機器を充電する場合に、優先順位に従って各電子機器を充電させる。【解決手段】本発明にかかるデータ処理装置は、第１メモリ、第１データ制御部、及び第１バッテリ部を有する第１データ処理ユニットと、第２メモリ、第２データ制御部、及び第２バッテリ部を有する第２データ処理ユニットと、第１データ処理ユニットと第２データ処理ユニットとは機械的に着脱自在に構成されており、第１データ処理ユニットと第２データ処理ユニットとが機械的に接続されている場合に、第１メモリと第２メモリとの間でデータ転送を行うデータ転送制御部と、第１データ処理ユニットと第２データ処理ユニットとが機械的に接続されている状態で、データ処理装置が外部の電力供給手段に接続された場合に、第１バッテリ部、及び第２バッテリ部を充電する充電制御部とを備える。【選択図】図３
2007053598.tif 000002
【特許請求の範囲】
【請求項１】
データ処理装置であって、
第１メモリ、前記第１メモリに対してデータの書き込み又は読み出しを行う第１データ制御部、及び前記第１メモリ、及び前記第１データ制御部に電力を供給する第１バッテリ部を有する第１データ処理ユニットと、
第２メモリ、前記第２メモリに対してデータの書き込み又は読み出しを行う第２データ制御部、及び前記第２メモリ、及び前記第２データ制御部に電力を供給する第２バッテリ部を有する第２データ処理ユニットと、
前記第１データ処理ユニットと前記第２データ処理ユニットとは機械的に着脱自在に構成されており、前記第１データ処理ユニットと前記第２データ処理ユニットとが機械的に接続されている場合に、前記第１メモリと前記第２メモリとの間でデータ転送を行うデータ転送制御部と、
前記第１データ処理ユニットと前記第２データ処理ユニットとが機械的に接続されている状態で、当該データ処理装置が外部の電力供給手段に接続された場合に、前記第１バッテリ部、及び前記第２バッテリ部を充電する充電制御部と
を備えるデータ処理装置。
【請求項２】
前記第１データ処理ユニットは、撮像部をさらに有し、
前記第１データ制御部は、前記撮像部が撮像した画像データを前記第１メモリに書き込み、
前記第２データ処理ユニットは、表示部をさらに有し、
前記第２データ制御部は、前記第２メモリから読み出した画像データを前記表示部に表示させる
請求項１に記載のデータ処理装置。
【請求項３】
前記第１データ処理ユニットは、前記第２データ処理ユニットと機械的に接続されていない場合には、独立して撮像装置として機能し、
前記第２データ処理ユニットは、前記第１データ処理ユニットと機械的に接続されていない場合には、独立して表示装置として機能し、
前記データ転送制御部は、前記第１データ処理ユニットと前記第２データ処理ユニットとが機械的に接続されている場合に、前記撮像部が撮像して前記第１メモリに格納された画像データを前記第２メモリに転送する
請求項２に記載のデータ処理装置。
【請求項４】
前記第１データ処理ユニットと前記第２データ処理ユニットとが接続された状態で保持し、外部の電力供給手段に電気的に接続されたプライマリ端子、及びセカンダリ端子を有する充電器
をさらに備え、
前記第１データ処理ユニットは、前記充電器に保持されている場合に、前記プライマリ端子、又は前記セカンダリ端子に選択的に接続される第１電力供給端子をさらに有し、
前記第２データ処理ユニットは、前記充電器に保持されている場合に、前記プライマリ端子、又は前記セカンダリ端子に選択的に接続される第２電力供給端子をさらに有し、
前記充電制御部は、前記第１電力供給端子が前記プライマリ端子に接続され、前記第２電力供給端子が前記セカンダリ端子に接続された場合に、前記第１バッテリ部を前記第２バッテリ部より優先的に充電し、前記第１電力供給端子が前記セカンダリ端子に接続され、前記第２電力供給端子が前記プライマリ端子に接続された場合に、前記第２バッテリ部を前記第１バッテリ部より優先的に充電する
請求項１に記載のデータ処理装置。
【請求項５】
前記第１データ処理ユニットは、外部の電力供給手段に電気的に接続される第１電力供給端子をさらに有し、
前記第２データ処理ユニットは、外部の電力供給手段に電気的に接続される第２電力供給端子をさらに有し、
前記充電制御部は、前記第１電力供給端子に外部の電力供給手段が接続された場合に、前記第１バッテリ部を前記第２バッテリ部より優先的に充電し、前記第２電力供給端子に外部の電力供給手段が接続された場合に、前記第２バッテリ部を前記第１バッテリ部より優先的に充電する
請求項１に記載のデータ処理装置。
【請求項６】
前記充電制御部は、外部の電力供給手段に接続されている場合に、外部の電力供給手段から前記第１バッテリ部に電力を供給して前記第１バッテリ部を充電し、外部の電力供給手段から切断された場合に、前記第１バッテリ部から前記第２バッテリ部に電力を供給して前記第２バッテリ部を充電する
請求項１に記載のデータ処理装置。
【請求項７】
データ処理装置用のデータ処理方法であって、
第１メモリ、前記第１メモリに対してデータの書き込み又は読み出しを行う第１データ制御部、及び前記第１メモリ、及び前記第１データ制御部に電力を供給する第１バッテリ部を有する第１データ処理ユニットと、第２メモリ、前記第２メモリに対してデータの書き込み又は読み出しを行う第２データ制御部、及び前記第２メモリ、及び前記第２データ制御部に電力を供給する第２バッテリ部を有する第２データ処理ユニットとは機械的に着脱自在に構成されており、前記第１データ処理ユニットと前記第２データ処理ユニットとが機械的に接続されている場合に、前記第１メモリと前記第２メモリとの間でデータ転送を行うデータ転送制御段階と、
前記第１データ処理ユニットと前記第２データ処理ユニットとが機械的に接続されている状態で、当該データ処理装置が外部の電力供給手段に接続された場合に、前記第１バッテリ部、及び前記第２バッテリ部を充電する充電制御段階とを備え、
前記充電制御段階は、外部の電力供給手段に接続されている場合に、外部の電力供給手段から前記第１バッテリ部に電力を供給して前記第１バッテリ部を充電し、外部の電力供給手段から切断された場合に、前記第１バッテリ部から前記第２バッテリ部に電力を供給して前記第２バッテリ部を充電する
データ処理方法。
【請求項８】
第１メモリ、前記第１メモリに対してデータの書き込み又は読み出しを行う第１データ制御部、及び前記第１メモリ、及び前記第１データ制御部に電力を供給する第１バッテリ部を有する第１データ処理ユニットと、
第２メモリ、前記第２メモリに対してデータの書き込み又は読み出しを行う第２データ制御部、及び前記第２メモリ、及び前記第２データ制御部に電力を供給する第２バッテリ部を有する第２データ処理ユニットと、
前記第１メモリ、及び前記第２メモリの空き容量に応じて、前記第１バッテリ部、及び前記第２バッテリ部のいずれかを優先的に充電する充電制御部と
を備えるデータ処理装置。
【請求項９】
前記充電制御部は、前記第１メモリの空き容量が前記第２メモリの空き容量より大きい場合、前記第２バッテリ部を優先的に充電する
請求項８に記載のデータ処理装置。
【請求項１０】
前記充電制御部は、前記第１メモリの全容量に対する空き容量の割合が前記第２メモリの全容量に対する空き容量の割合より大きい場合、前記第２バッテリ部を優先的に充電する
請求項８に記載のデータ処理装置。
【請求項１１】
第１メモリ、前記第１メモリに対してデータの書き込み又は読み出しを行う第１データ制御部、及び前記第１メモリ、及び前記第１データ制御部に電力を供給する第１バッテリ部を有する第１データ処理ユニットと、第２メモリ、前記第２メモリに対してデータの書き込み又は読み出しを行う第２データ制御部、及び前記第２メモリ、及び前記第２データ制御部に電力を供給する第２バッテリ部を有する第２データ処理ユニットとを備えるデータ処理装置のデータ処理方法であって、
前記第１メモリ、及び前記第２メモリの空き容量に応じて、前記第１バッテリ部、及び前記第２バッテリ部のいずれかを優先的に充電する充電制御段階
を備えるデータ処理方法。
【発明の詳細な説明】
【技術分野】
【０００１】
本発明は、データ処理装置、及びデータ処理方法に関する。特に、本発明は、複数のデータ処理装置を優先順位に応じて充電できるデータ処理装置、及びデータ処理方法に関する。
【背景技術】
【０００２】
ハンディターミナル本体内蔵電池パックと、電池パック単体とを充電する充電装置について、ハンディターミナル本体内蔵電池パックを、電池パック単体に優先して充電する充電装置が提案されている。すなわち、ハンディターミナル本体内蔵電池パックの充電中には、電池パック単体が接続されても、ハンディターミナル本体内蔵電池パックの充電を継続する。一方、電池パック単体の充電中にハンディターミナル本体内臓電池パックが接続された場合には、電池パックの充電を中止して、ハンディターミナル本体内蔵電池パックの充電を開始する充電装置が提案されている（例えば、特許文献１参照）。また、電子機器内蔵バッテリの電圧とアダプタの電圧とを比較して、その差が所定の電圧より小さい場合には、電子機器内蔵バッテリを充電して、その差が所定の電圧より大きい場合にはバッテリ単体を充電する充電制御方法が提案されている（例えば、特許文献２参照）。
【０００３】
また、画像撮像時のファインダとしての機能を有する第１の表示手段と、撮像画像を再生する際のモニタとしての機能を有すると共に、カメラ本体との着脱をできるようにした第２の表示手段（外部表示モニタ）とを備え、第１の表示手段の表示内容と、外部表示モニタの表示内容とを異ならせる。そして、第１の表示手段と外部表示モニタに表示された２枚の撮像画像を比較して見栄えのよい撮像画像を選択する、又は、撮像画像に対する補正処理の効果の確認を容易にする電子カメラについて提案されている（例えば、特許文献３参照）。
【特許文献１】特開２０００−１３４８１７号公報
【特許文献２】特開２００３−３４８７６３号公報
【特許文献３】特開平１１−２６６３８１号公報
【発明の開示】
【発明が解決しようとする課題】
【０００４】
しかしながら、特許文献１に記載の発明においては、ハンディターミナル本体内蔵電池パックと、当該ハンディターミナル用の電池パックについてしか充電することができない。また、特許文献２に記載の発明においても、電子機器と、当該電子機器用のバッテリを充電する充電制御方法しか開示されていない。
【０００５】
一方、特許文献３に記載の発明においては、電子カメラが備える第１の表示手段と外部表示モニタの双方において撮像画像を確認できるが、ユーザは、より大きな画面で撮像画像を確認したい場合がある。また、電子カメラから撮像画像を、当該電子カメラ以外の記憶媒体等に移動させた後は、電子カメラにおいて、ユーザは、ユーザによって既に撮像された画像を確認することができない。更に、電子カメラをテレビモニタ等の外部表示装置等に接続して撮像画像を鑑賞する場合において、ユーザは、外部表示部に接続された電子カメラ自体を操作することによって、外部表示部に撮像画像を表示させなければならない。したがって、ユーザは、外部表示部に表示された撮像画像をゆったりと観賞できないという問題がある。そして、電子カメラ、及び外部表示装置等の駆動に要するバッテリに関してはなんら開示されていない。
【０００６】
そこで本発明は、上記課題を解決することができるデータ処理装置、及びデータ処理方法を提供することを目的とする。この目的は特許請求の範囲における独立項に記載の特徴の組み合わせにより達成される。また従属項は本発明の更なる有利な具体例を規定する。
【課題を解決するための手段】
【０００７】
上記課題を解決するために、本発明の第１の形態においては、データ処理装置であって、第１メモリ、第１メモリに対してデータの書き込み又は読み出しを行う第１データ制御部、及び第１メモリ、及び第１データ制御部に電力を供給する第１バッテリ部を有する第１データ処理ユニットと、第２メモリ、第２メモリに対してデータの書き込み又は読み出しを行う第２データ制御部、及び第２メモリ、及び第２データ制御部に電力を供給する第２バッテリ部を有する第２データ処理ユニットと、第１データ処理ユニットと第２データ処理ユニットとは機械的に着脱自在に構成されており、第１データ処理ユニットと第２データ処理ユニットとが機械的に接続されている場合に、第１メモリと第２メモリとの間でデータ転送を行うデータ転送制御部と、第１データ処理ユニットと第２データ処理ユニットとが機械的に接続されている状態で、当該データ処理装置が外部の電力供給手段に接続された場合に、第１バッテリ部、及び第２バッテリ部を充電する充電制御部とを備える。
【０００８】
また、第１データ処理ユニットは、撮像部をさらに有し、第１データ制御部は、撮像部が撮像した画像データを第１メモリに書き込み、第２データ処理ユニットは、表示部をさらに有し、第２データ制御部は、第２メモリから読み出した画像データを表示部に表示させてもよい。また、第１データ処理ユニットは、第２データ処理ユニットと機械的に接続されていない場合には、独立して撮像装置として機能し、第２データ処理ユニットは、第１データ処理ユニットと機械的に接続されていない場合には、独立して表示装置として機能し、データ転送制御部は、第１データ処理ユニットと第２データ処理ユニットとが機械的に接続されている場合に、撮像部が撮像して第１メモリに格納された画像データを第２メモリに転送してもよい。
【０００９】
そして、第１データ処理ユニットと第２データ処理ユニットとが接続された状態で保持し、外部の電力供給手段に電気的に接続されたプライマリ端子、及びセカンダリ端子を有する充電器をさらに備え、第１データ処理ユニットは、充電器に保持されている場合に、プライマリ端子、又はセカンダリ端子に選択的に接続される第１電力供給端子をさらに有し、第２データ処理ユニットは、充電器に保持されている場合に、プライマリ端子、又はセカンダリ端子に選択的に接続される第２電力供給端子をさらに有し、充電制御部は、第１電力供給端子がプライマリ端子に接続され、第２電力供給端子がセカンダリ端子に接続された場合に、第１バッテリ部を第２バッテリ部より優先的に充電し、第１電力供給端子がセカンダリ端子に接続され、第２電力供給端子がプライマリ端子に接続された場合に、第２バッテリ部を第１バッテリ部より優先的に充電してもよい。
【００１０】
また、第１データ処理ユニットは、外部の電力供給手段に電気的に接続される第１電力供給端子をさらに有し、第２データ処理ユニットは、外部の電力供給手段に電気的に接続される第２電力供給端子をさらに有し、充電制御部は、第１電力供給端子に外部の電力供給手段が接続された場合に、第１バッテリ部を第２バッテリ部より優先的に充電し、第２電力供給端子に外部の電力供給手段が接続された場合に、第２バッテリ部を第１バッテリ部より優先的に充電してもよい。更に、充電制御部は、外部の電力供給手段に接続されている場合に、外部の電力供給手段から第１バッテリ部に電力を供給して第１バッテリ部を充電し、外部の電力供給手段から切断された場合に、第１バッテリ部から第２バッテリ部に電力を供給して第２バッテリ部を充電してもよい。
【００１１】
また、本発明の第２の形態においては、データ処理装置用のデータ処理方法であって、第１メモリ、第１メモリに対してデータの書き込み又は読み出しを行う第１データ制御部、及び第１メモリ、及び第１データ制御部に電力を供給する第１バッテリ部を有する第１データ処理ユニットと、第２メモリ、第２メモリに対してデータの書き込み又は読み出しを行う第２データ制御部、及び第２メモリ、及び第２データ制御部に電力を供給する第２バッテリ部を有する第２データ処理ユニットとは機械的に着脱自在に構成されており、第１データ処理ユニットと第２データ処理ユニットとが機械的に接続されている場合に、第１メモリと第２メモリとの間でデータ転送を行うデータ転送制御段階と、第１データ処理ユニットと第２データ処理ユニットとが機械的に接続されている状態で、当該データ処理装置が外部の電力供給手段に接続された場合に、第１バッテリ部、及び第２バッテリ部を充電する充電制御段階とを備え、充電制御段階は、外部の電力供給手段に接続されている場合に、外部の電力供給手段から第１バッテリ部に電力を供給して第１バッテリ部を充電し、外部の電力供給手段から切断された場合に、第１バッテリ部から第２バッテリ部に電力を供給して第２バッテリ部を充電する。
【００１２】
また、本発明の第３の形態においては、データ処理装置であって、第１メモリ、第１メモリに対してデータの書き込み又は読み出しを行う第１データ制御部、及び第１メモリ、及び第１データ制御部に電力を供給する第１バッテリ部を有する第１データ処理ユニットと、第２メモリ、第２メモリに対してデータの書き込み又は読み出しを行う第２データ制御部、及び第２メモリ、及び第２データ制御部に電力を供給する第２バッテリ部を有する第２データ処理ユニットと、第１メモリ、及び第２メモリの空き容量に応じて、第１バッテリ部、及び第２バッテリ部のいずれかを優先的に充電する充電制御部とを備える。また、充電制御部は、第１メモリの空き容量が第２メモリの空き容量より大きい場合、第２バッテリ部を優先的に充電してもよい。そして、充電制御部は、第１メモリの全容量に対する空き容量の割合が第２メモリの全容量に対する空き容量の割合より大きい場合、第２バッテリ部を優先的に充電してもよい。
【００１３】
また、本発明の第３の形態においては、第１メモリ、第１メモリに対してデータの書き込み又は読み出しを行う第１データ制御部、及び第１メモリ、及び第１データ制御部に電力を供給する第１バッテリ部を有する第１データ処理ユニットと、第２メモリ、第２メモリに対してデータの書き込み又は読み出しを行う第２データ制御部、及び第２メモリ、及び第２データ制御部に電力を供給する第２バッテリ部を有する第２データ処理ユニットとを備えるデータ処理装置のデータ処理方法であって、第１メモリ、及び第２メモリの空き容量に応じて、第１バッテリ部、及び第２バッテリ部のいずれかを優先的に充電する充電制御段階を備える。
【００１４】
なお、上記の発明の概要は、本発明の必要な特徴の全てを列挙したものではなく、これらの特徴群のサブコンビネーションもまた、発明となりうる。
【発明の効果】
【００１５】
本発明によれば、複数の電子機器を充電する場合に、優先順位に従って各電子機器を充電させることができる。
【発明を実施するための最良の形態】
【００１６】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１７】
図１は、本発明の一実施形態に係るデータ処理装置１０の概要を示す。データ処理装置１０は、充電器４０、撮像ユニット２０、及び表示ユニット３０を備える。撮像ユニット２０は、第１電力供給端子２８０を有する。また、表示ユニット３０は、第２電力供給端子３５０を有する。そして、充電器４０は、プライマリ端子４００、セカンダリ端子４１０、及び切り替えスイッチ４５０を有する。充電器４０は、外部電力供給手段９０に接続されている。また、撮像ユニット２０と表示ユニット３０とは、機械的に着脱自在に構成されている。撮像ユニット２０と表示ユニット３０とを機械的に接続することにより、データ処理装置１０として機能する。なお、撮像ユニット２０と表示ユニット３０とは、電子機器の一例である。本実施形態に係るデータ処理装置１０は、複数の電子機器を充電する場合に、ユーザが所望する優先順位に従って各電子機器を充電させることを目的とする。
【００１８】
ユーザは、撮像ユニット２０において画像を撮像する。撮像ユニット２０は、撮像された画像を撮像ユニット２０が備えるメモリに保存する。そして、撮像ユニット２０に表示ユニット３０が接続された場合に、撮像された画像は撮像ユニット２０から、表示ユニット３０に供給されて、表示ユニット３０が備えるメモリに保存される。表示ユニット３０は、ユーザが撮像した画像を表示できる表示部３００を有する。一方、撮像ユニット２０は、撮像された画像を圧縮して、圧縮された圧縮画像を保持してよい。ユーザは、撮像ユニット２０において撮像された画像を、撮像後、表示ユニット３０において確認できる。そして、ユーザが表示ユニット３０を携帯して撮像された画像を長時間観賞することを目的として、表示ユニット３０は、バッテリで駆動する装置であってよい。
【００１９】
そして、撮像ユニット２０、及び表示ユニット３０がそれぞれ有するバッテリを充電する場合には、機械的に接続されている状態の撮像ユニット２０、及び表示ユニット３０を充電器４０に保持することにより、ユーザは、撮像ユニット２０、及び表示ユニット３０の双方を充電できる。データ処理装置１０においては、撮像ユニット２０の下面に第１電力供給端子２８０が備えられ、表示ユニット３０の下面に第２電力供給端子３５０が備えられている。なお、下面とは、撮像ユニット２０、及び表示ユニット３０の充電時に、充電器４０に接する面であってよい。そして、撮像ユニット２０と表示ユニット３０とが機械的に接続したデータ処理装置１０の下面において、第１電力供給端子２８０と第２電力供給端子３５０とは、左右対称な位置に備えられている。そして、ユーザは、充電器４０のプライマリ端子４００、及びセカンダリ端子４１０が備えられている面に垂直な方向を軸として、当該軸に沿って、データ処理装置１０を１８０°回転させることにより、撮像ユニット２０の第１電力供給端子２８０、又は、表示ユニット３０の第２電力供給端子３５０をプライマリ端子４００に接続させることができる。
【００２０】
これにより、ユーザは、撮像ユニット２０、及び表示ユニット３０のそれぞれに専用の充電器を用意することなしに、撮像ユニット２０、及び表示ユニット３０の双方を充電することができる。
【００２１】
例えば、ユーザがより早く充電させたい機器がある場合には、ユーザは、充電器４０のプライマリ端子４００側に当該機器の接続端子が接続されるように、データ処理装置１０を充電器４０に保持する。これにより、プライマリ端子４００に接続された機器が優先的に充電される。例えば、ユーザが撮像ユニット２０を表示ユニット３０よりも早く充電したい場合には、撮像ユニット２０がプライマリ端子４００と接続されるように撮像ユニット２０を充電器４０に保持させる。一方、ユーザが表示ユニット３０を撮像ユニット２０よりも早く充電したい場合には、表示ユニット３０がプライマリ端子４００と接続させるように表示ユニット３０を充電器に保持させる。これにより、ユーザは、一つの充電器４０だけで、自由に電子機器の充電の優先順位を決定できる。
【００２２】
また、充電器４０は、優先的に充電させる機器を選択する、切り替えスイッチ４５０を更に備えてもよい。ユーザがより早く充電させたい機器がある場合には、ユーザは、充電器４０が有する切り替えスイッチ４５０により優先的に充電させる機器を選択できる。例えば、ユーザが表示ユニット３０を、撮像ユニット２０に優先させて充電させることを要求する場合には、表示ユニット３０がプライマリ端子４００と接続されるように、切り替えスイッチ４５０を切り替える。これにより、ユーザは、表示ユニット３０を優先的に充電させることができる。
【００２３】
なお、充電器４０による充電は、プライマリ端子４００に接続された電子機器のバッテリが満充電されてから、他方の電子機器を充電してよい。また、プライマリ端子４００に接続された電子機器のバッテリ、及びセカンダリ端子４１０に接続された電子機器のバッテリの双方を、所定の容量ずつ交互に充電してもよい。更には、プライマリ端子４００に接続された電子機器のバッテリ、及びセカンダリ端子４１０に接続された電子機器のバッテリを並行して充電させてもよい。
【００２４】
本実施形態に係るデータ処理装置１０は、複数の電子機器を充電する場合に、優先順位に従って各電子機器を充電させることができる。
【００２５】
図２は、本実施形態に係るデータ処理装置１４の概要を示す。データ処理装置１４は、充電器４２、撮像ユニット２０、及び表示ユニット３０を備える。そして、充電器４２は、端子４１８を有する。充電器４２は、外部電力供給手段９０に接続されている。なお、撮像ユニット２０と表示ユニット３０とは、機械的に着脱自在に構成されていてよい。
【００２６】
ユーザは、撮像ユニット２０と表示ユニット３０のうち、先に充電を要する機器の電力供給端子が充電器４２の端子４１８と接続するように、撮像ユニット２０、及び表示ユニット３０が機械的に接続された状態のまま、外部電力供給手段９０と接続されている充電器４２に保持する。
【００２７】
ここで、撮像ユニット２０と表示ユニット３０とが機械的に接続されたデータ処理装置１４を考える。データ処理装置１４において、撮像ユニット２０が有する第１電力供給端子２８０と表示ユニット３０が有する第２電力供給端子３５０は、撮像ユニット２０と表示ユニット３０との接続面と反対の面にそれぞれ備えられている。そして、データ処理装置１４において、同一形状の上面と下面のそれぞれの同一の位置に、第１電力供給端子２８０と第２電力供給端子３５０がそれぞれ備えられている。そして、第１電力供給端子２８０、又は、第２電力供給端子３５０が、充電器４２が有する端子４１８と接続されるように、撮像ユニット２０、又は、表示ユニット３０のいずれか一方のユニットを下にして、充電器４２にデータ処理装置１４を保持する。これにより、撮像ユニット２０、又は、表示ユニット３０のいずれかが優先的に充電される。そして、ユーザは、データ処理装置１４を、例えば、上下反転させて充電器４２に保持することによって、撮像ユニット２０、又は、表示ユニット３０のいずれかを優先的に充電させることができる。したがって、ユーザは、視覚的に撮像ユニット２０、又は、表示ユニット３０のいずれのユニットが優先的に充電されるのか把握し易いというメリットがある。
【００２８】
例えば、データ処理装置１４が充電器４２に保持されると、まず、端子４１８と直接に接続されている機器、表示ユニット３０が、撮像ユニット２０に優先して充電される。そして、表示ユニット３０のバッテリが満充電になった後には、撮像ユニット２０は、表示ユニット３０を介して、充電器４２により充電される。一方、ユーザが撮像ユニット２０を表示ユニット３０よりも先に充電したい場合には、撮像ユニット２０の第１電力供給端子２８０が充電器４２の端子４１８と接続されるように、データ処理装置１４を充電器４２に保持する。これにより、上記説明とは反対に、まず、撮像ユニット２０が優先的に充電された後に、表示ユニット３０が撮像ユニット２０を介して充電される。
【００２９】
本実施形態に係るデータ処理装置１４によれば、２つの電子機器が機械的に接続された状態のまま、１つの充電器に保持することより、２つの電子機器を優先順位に従って充電することができる。これにより、ユーザが早期に使用を欲する電子機器を優先的に充電できる。
【００３０】
図３は、本実施形態に係るデータ処理装置１０の機能構成の一例を示す。データ処理装置１０は、撮像ユニット２０、表示ユニット３０、及び充電器４０を備える。撮像ユニット２０は、撮像部２００、第１データ制御部２１０、第１メモリ２２０、データ転送制御部２３０、表示制御部２４０、表示部２５０、第１バッテリ部２６０、第１充電制御部２７０、及び第１電力供給端子２８０を有する。また、表示ユニット３０は、表示部３００、第２データ制御部３１０、第２メモリ３２０、第２バッテリ部３３０、第２充電制御部３４０、及び第２電力供給端子３５０を有する。なお、データ転送制御部２３０は、撮像ユニット２０、及び表示ユニット３０のいずれに設けられていてもよい。すなわち、表示ユニット３０がデータ転送制御部２３０を有していてもよい。更に、充電器４０は、プライマリ端子４００、及びセカンダリ端子４１０を有する。また、充電制御部は、撮像ユニット２０、表示ユニット３０、及び充電器４０のいずれに設けられていてもよい。
【００３１】
撮像ユニット２０が有する撮像部２００は、撮像した画像の画像データを第１データ制御部２１０へ供給する。第１データ制御部２１０は、第１メモリ２２０に対して、データの書き込み、又は読み出しをする。第１データ制御部２１０は、撮像部２００から受け取った、撮像部２００において撮像された画像データを第１メモリ２２０に書き込んでよい。なお、第１データ制御部２１０は、第１メモリ２２０に対してデータの読み出しをしてもよい。第１データ制御部２１０は、撮像部２００において撮像された画像データを、第１メモリ２２０に供給する。
【００３２】
第１メモリ２２０は、第１データ制御部２１０から受け取った画像データ等のデータを格納する。例えば、第１メモリ２２０は、第１データ制御部２１０から受け取った画像データを格納する。第１メモリ２２０は、画像データを一意に識別できる識別子に対応づけて格納してよい。なお、第１メモリ２２０は、撮像部２００において撮像された撮像画像を保存する記憶装置であり、例えば、半導体記録媒体等を用いたメモリ、及び磁気記録媒体等を用いたハードディスクドライブであってよい。更に、第１メモリ２２０は、撮像ユニット２０から着脱を自在にできる記憶装置として構成してもよい。第１メモリ２２０は、画像データを表示制御部２４０、及びデータ転送制御部２３０に供給する。また、第１メモリ２２０は、第１メモリ２２０の容量に関するデータ、例えば、第１メモリ２２０の空き容量、及び第１メモリ２２０の全容量に対する空き容量の割合に関するデータを、第１充電制御部２７０に供給する。
【００３３】
なお、撮像ユニット２０、及び表示ユニット３０は、第１メモリ空き容量検出部、及び第２メモリ空き容量検出部を有していてもよい。第１メモリ空き容量検出部、及び第２メモリ空き容量検出部は、第１メモリ２２０、及び第２メモリ３２０の空き容量、及び全容量に対する空き容量の割合を検出する。そして、第１メモリ空き容量検出部において検出された、第１メモリ２２０の空き容量、及び全容量に対する空き容量の割合に関する情報は、第１メモリ空き容量検出部から第１充電制御部２７０に供給されてよい。また、第２メモリ空き容量検出部において検出された、第２メモリ３２０の空き容量、及び全容量に対する空き容量の割合に関する情報は、第２メモリ空き容量検出部から第２充電制御部３４０に供給されてもよい。
【００３４】
データ転送制御部２３０は、撮像ユニット２０と表示ユニット３０とが機械的に接続されている場合に、第１メモリ２２０と表示ユニット３０が有する第２メモリ３２０との間でデータ転送をする。ここで、撮像ユニット２０は、表示ユニット３０と機械的に接続されていない場合には、独立した撮像装置として機能してよい。例えば、撮像ユニット２０は、デジタルカメラであってよい。また、表示ユニット３０は、撮像ユニット２０と機械的に接続されていない場合には、独立した表示装置として機能してよい。例えば、表示ユニット３０は、携帯ビューワであってよい。そして、データ転送制御部２３０は、撮像ユニット２０と表示ユニット３０とが機械的に接続されている場合に、撮像部２００において撮像されて第１メモリ２２０に格納された画像データを、第２メモリ３２０に転送してよい。また、表示制御部２４０は、第１メモリ２２０から受け取った画像を表示部２５０へ供給する。表示部２５０は、表示制御部２４０から受け取った画像を表示する。表示部２５０は、撮像部２００において撮像された画像を表示する表示装置であって、例えば、液晶表示装置等であってよい。
【００３５】
表示ユニット３０が有する第２メモリ３２０は、データ転送制御部２３０から受け取った画像データ等のデータを格納する。また、第２メモリ３２０は、インターネット等のネットワーク、及びメモリ等を介して画像データ等のデータを格納してもよい。第２メモリ３２０は、画像データ等のデータを、当該データを一意に識別できる識別子に対応づけて格納する。第２メモリ３２０は、画像データ等のデータを第２データ制御部３１０に供給する。また、第２メモリ３２０は、第２メモリ３２０の容量に関するデータ、例えば、第２メモリ３２０の空き容量、及び第２メモリ３２０の全容量に対する空き容量の割合に関するデータを、第２充電制御部３４０に供給する。
【００３６】
第２データ制御部３１０は、第２メモリ３２０に対してデータの書き込み、又は読み出しをする。第２データ制御部３１０は、第２メモリ３２０から画像データを読み出して、表示部３００に供給してよい。表示部３００は、第２データ制御部３１０から受け取った、第２メモリ３２０から読み出された画像データを表示する。表示部３００は、液晶表示装置等の画像表示装置であってよい。
【００３７】
第１バッテリ部２６０は、撮像部２００、第１データ制御部２１０、第１メモリ２２０、データ転送制御部２３０、表示制御部２４０、及び表示部２５０に電力を供給する。また、第１バッテリ部２６０は、所定の場合に、表示ユニット３０が有する第２バッテリ部３３０を充電することを目的として、第２バッテリ部３３０に電力を供給してもよい。また、第２バッテリ部３３０は、表示部３００、第２データ制御部３１０、及び第２メモリ３２０に電力を供給する。そして、第２バッテリ部３３０は、所定の場合に、撮像ユニット２０が有する第１バッテリ部２６０を充電することを目的として、第１バッテリ部２６０に電力を供給してもよい。
【００３８】
ここで、第１充電制御部２７０、及び表示ユニット３０が有する第２充電制御部３４０は、撮像ユニット２０と表示ユニット３０とが機械的に接続されている状態で、データ処理装置１０が外部電力供給手段９０に接続された場合に、第１バッテリ部２６０、及び第２バッテリ部３３０を充電する。そして、外部電力供給手段９０と電気的に接続されているプライマリ端子４００、及びセカンダリ端子４１０を有する充電器４０に、撮像ユニット２０と表示ユニット３０とが機械的に接続されている状態で保持されている場合を考える。係る場合において、撮像ユニット２０が有する第１電力供給端子２８０が、プライマリ端子４００に接続され、表示ユニット３０が有する第２電力供給端子３５０がセカンダリ端子４１０に接続された場合には、第１充電制御部２７０、及び第２充電制御部３４０は、第１バッテリ部２６０を第２バッテリ部３３０より優先的に充電する。
【００３９】
一方、第１データ処理ユニットが有する第１電力供給端子２８０が、セカンダリ端子４１０に接続され、表示ユニット３０が有する第２電力供給端子３５０がプライマリ端子４００に接続された場合には、第１充電制御部２７０、及び第２充電制御部３４０は、第２バッテリ部３３０を第１バッテリ部２６０より優先的に充電する。係る場合において、第１充電制御部２７０、及び第２充電制御部３４０は、第１電力供給端子２８０、及び第２電力供給端子３５０が接続されている端子が、プライマリ端子４００とセカンダリ端子４１０のいずれであるかを示す情報を相互に供給しあってよい。これによりユーザは、撮像ユニット２０、又は、表示ユニット３０のうち、すぐに使用を欲するユニットを優先的に充電させることができる。
【００４０】
そして、外部電力供給手段９０からデータ処理装置１０に電力が供給されている場合には、第１充電制御部２７０は第１バッテリ部２６０をまず充電してよい。続いて、第１バッテリ部２６０が満充電になった後に、第２充電制御部３４０は、第２バッテリ部３３０を充電してよい。一方、外部電力供給手段９０からデータ処理装置１０に電力が供給されていない場合には、第１充電制御部２７０は、第１バッテリ部２６０のバッテリ残量を計測して、第１バッテリ部２６０の充電容量が所定値以上である場合に、第１バッテリ部２６０から第２バッテリ部３３０に電力を供給して、第２バッテリ部３３０を充電してもよい。なお、外部電力供給手段９０からデータ処理装置１０に電力が供給されている場合にまず充電するのは、第２バッテリ部３３０であってもよく、係る場合には、第２充電制御部３４０は、まず第２バッテリ部３３０を満充電させ、そして、第２バッテリ部３３０が満充電になった後に、第１充電制御部２７０は第１バッテリ部２６０を充電してもよい。
【００４１】
また、第１充電制御部２７０、又は、第２充電制御部３４０が第１バッテリ部２６０、又は、第２バッテリ部３３０を充電する場合において、第１充電制御部２７０、又は、第２充電制御部３４０は、第１バッテリ部２６０、又は、第２バッテリ部３３０のどちらか一方を満充電させてから、他方を充電してもよい。また、第１充電制御部２７０、又は、第２充電制御部３４０は、第１バッテリ部２６０と第２バッテリ部３３０の双方を、予め定められた容量ずつ交互に充電してもよい。更には、第１充電制御部２７０、及び第２充電制御部３４０は、第１バッテリ部２６０と第２バッテリ部３３０を並行して充電させてもよい。
【００４２】
更に、第１充電制御部２７０は、第２充電制御部３４０に第１メモリ２２０から受け取った第１メモリ２２０の空き容量、及び第１メモリ２２０の全容量に対する空き容量の割合に関するデータを供給する。一方、第２充電制御部３４０は、第２メモリ３２０の空き容量、及び第２メモリ３２０の全容量に対する空き容量の割合に関するデータを第１充電制御部２７０に供給してよい。そして、第１充電制御部２７０、及び第２充電制御部３４０は、第１メモリ２２０、及び第２メモリ３２０の空き容量に応じて、第１バッテリ部２６０、及び第２バッテリ部３３０のいずれかを優先的に充電してよい。例えば、第２充電制御部３４０は、第１メモリ２２０の空き容量が第２メモリ３２０の空き容量より大きい場合に、第２バッテリ部３３０を優先的に充電する。また、第２充電制御部３４０は、第１メモリ２２０の全容量に対する空き容量の割合が、第２メモリ３２０の全容量に対する空き容量の割合よりも大きい場合に、第２バッテリ部３３０を優先的に充電してもよい。
【００４３】
また、撮像ユニット２０の表示部２５０、及び表示ユニット３０の表示部３００に、撮像ユニット２０、又は、表示ユニット３０のいずれを優先的に充電させるかを選択する選択画面を表示してもよい。ユーザにより、当該選択画面から、優先的に充電させるユニットとして、撮像ユニット２０、又は、表示ユニット３０のいずれかが選択された場合には、ユーザによって選択された撮像ユニット２０、又は、表示ユニット３０に関する情報が、第１充電制御部２７０、及び第２充電制御部３４０に供給される。そして、第１充電制御部２７０、及び第２充電制御部３４０は、選択画面においてユーザに選択された撮像ユニット２０、又は、表示ユニット３０に関する情報に基づいて、撮像ユニット２０が有する第１バッテリ部２６０、又は、表示ユニット３０が有する第２バッテリ部３３０を優先的に充電してもよい。
【００４４】
本実施形態に係るデータ処理装置１０によれば、２つの異なる装置間でデータの移動ができると共に、２つの電子装置のバッテリに優先順位をつけて充電することができる。これにより、ユーザがすぐに使用したいと欲する電子装置、又は、ユーザの使用頻度の高い電子装置を優先的に充電させることができる。
【００４５】
また、本実施形態に係るデータ処理装置１４によれば、第１バッテリ部２６０と第２バッテリ部３３０との間で、一方のバッテリ部が他方のバッテリ部に電力を供給することにより、他方のバッテリ部を充電することができる。これにより、一方のデータ処理ユニットのバッテリ部における充電容量が所定値以上の場合には、外部から電力の供給がなくても他方のバッテリ部を充電できるので、撮像ユニット２０、及び表示ユニット３０のいずれもがバッテリ切れにより動作しなくなることを防ぐことができる。
【００４６】
図４は、本実施形態に係るデータ処理装置１２の機能構成の一例を示す。データ処理装置１２は、撮像ユニット２２、表示ユニット３２、及び充電器４０を備える。撮像ユニット２２は、撮像部２００、第１データ制御部２１０、第１メモリ２２０、データ転送制御部２３０、表示制御部２４０、表示部２５０、第１バッテリ部２６０、及び第１電力供給端子２８０を有する。また、表示ユニット３２は、表示部３００、第２データ制御部３１０、第２メモリ３２０、第２バッテリ部３３０、及び第２電力供給端子３５０を有する。なお、データ転送制御部２３０は、撮像ユニット２２、及び表示ユニット３２のいずれに設けられていてもよい。すなわち、表示ユニット３２がデータ転送制御部２３０を有していてもよい。更に、充電器４０は、充電制御部４２０、プライマリ端子４００、及びセカンダリ端子４１０を有する。
【００４７】
なお、撮像ユニット２２、表示ユニット３２、充電器４０、撮像部２００、第１データ制御部２１０、第１メモリ２２０、データ転送制御部２３０、表示制御部２４０、表示部２５０、第１バッテリ部２６０、第１電力供給端子２８０、表示部３００、第２データ制御部３１０、第２メモリ３２０、第２バッテリ部３３０、第２電力供給端子３５０、充電制御部４２０、プライマリ端子４００、及びセカンダリ端子４１０については、図３での上記説明において、同一の部材名で説明した各構成部分と略同一の機能を有するので、詳細な説明については省略する。
【００４８】
充電器４０が有する充電制御部４２０は、撮像ユニット２２と表示ユニット３２とが機械的に接続された状態で、外部電力供給手段９０に電気的に接続された充電器４０に保持された場合に、第１バッテリ部２６０、及び第２バッテリ部３３０を充電する。充電制御部４２０は、第１バッテリ部２６０、又は、第２バッテリ部３３０のどちらか一方を満充電させた後に他方の充電をしてよい。また、充電制御部４２０は、第１バッテリ部２６０と第２バッテリ部３３０の双方を、予め定められたバッテリ容量ごとに交互に充電してもよい。更に、充電制御部４２０は、第１バッテリ部２６０と第２バッテリ部３３０の双方を並行して充電してもよい。また、充電制御部４２０は、充電器４０が有するプライマリ端子４００と接続されたユニットを優先的に充電してもよい。例えば、プライマリ端子４００と、第１電力供給端子２８０とが接触した場合には、充電制御部４２０は、第１バッテリ部２６０を優先的に充電してよい。一方、セカンダリ端子４１０と、第１電力供給端子２８０とが接触した場合には、充電制御部４２０は、第２バッテリ部３３０を優先的に充電してよい。
【００４９】
図５は、本実施形態に係るデータ処理装置１４の機能構成の一例を示す。データ処理装置１４は、撮像ユニット２０、及び表示ユニット３０を備える。撮像ユニット２０は、撮像部２００、第１データ制御部２１０、第１メモリ２２０、データ転送制御部２３０、表示制御部２４０、表示部２５０、第１バッテリ部２６０、第１充電制御部２７０、及び第１電力供給端子２８０を有する。また、表示ユニット３０は、表示部３００、第２データ制御部３１０、第２メモリ３２０、第２バッテリ部３３０、第２充電制御部３４０、及び第２電力供給端子３５０を有する。なお、データ転送制御部２３０は、撮像ユニット２０、及び表示ユニット３０のいずれに設けられていてもよい。すなわち、表示ユニット３０がデータ転送制御部２３０を有していてもよい。
【００５０】
なお、撮像ユニット２０、表示ユニット３０、撮像部２００、第１データ制御部２１０、第１メモリ２２０、データ転送制御部２３０、表示制御部２４０、表示部２５０、第１バッテリ部２６０、第１充電制御部２７０、第１電力供給端子２８０、表示部３００、第２データ制御部３１０、第２メモリ３２０、第２バッテリ部３３０、第２充電制御部３４０、第２電力供給端子３５０については、図３、及び図４での上記説明において、同一の部材名で説明した各構成部分と略同一の機能を有するので、詳細な説明については省略する。
【００５１】
第１充電制御部２７０は、第１電力供給端子２８０に外部の電力供給手段が接続された場合に、第１バッテリ部２６０を第２バッテリ部３３０より優先的に充電する。また、第１充電制御部２７０は、第１バッテリ部２６０が満充電になった後には、第２充電制御部３４０を介して、第２バッテリ部３３０を充電してもよい。更には、第１充電制御部２７０は、第１バッテリ部２６０が満充電になった後には、第１バッテリ部２６０の電力を第２バッテリ部３３０に供給して、第２バッテリ部３３０を充電してもよい。一方、第２充電制御部３４０は、第２電力供給端子３５０に外部の電力供給手段が接続された場合に、第２バッテリ部３３０を第１バッテリ部２６０より優先的に充電する。また、第２充電制御部３４０は、第２バッテリ部３３０が満充電になった後には、第１充電制御部２７０を介して、第１バッテリ部２６０を充電してもよい。更には、第２充電制御部３４０は、第２バッテリ部３３０が満充電になった後には、第２バッテリ部３３０の電力を第１バッテリ部２６０に供給して、第１バッテリ部２６０を充電してもよい。
【００５２】
本実施形態に係るデータ処理装置１４によれば、外部の電力供給手段と接続させるデータ処理ユニットを選択することにより、当該データ処理ユニットを優先的に充電させることができる。これにより、ユーザがすぐに使用したいと欲する電子装置を優先的に充電させることができる。
【００５３】
図６は、本実施形態に係るデータ処理装置１０における処理の流れの一例を示す。第１充電制御部２７０は、データ処理装置１０が外部電力供給手段９０と接続しているか否かを判断する（Ｓ１０００）。そして、データ処理装置１０が外部電力供給手段９０と接続されている場合には（Ｓ１０００：Ｙｅｓ）、第１充電制御部２７０は、第１バッテリ部２６０を充電させる（Ｓ１０１０）。そして、第１バッテリ部２６０が満充電になった後は、第１充電制御部２７０は、第１バッテリ部２６０が満充電になった旨の情報を、第２充電制御部３４０に供給する。第１バッテリ部２６０が満充電になった旨の情報を受け取った第２充電制御部３４０は、第２バッテリ部３３０を充電する（Ｓ１０２０）。
【００５４】
一方、データ処理装置１０が外部電力供給手段９０と接続されていない場合には（Ｓ１０００：Ｎｏ）、第１充電制御部２７０、及び第２充電制御部３４０は、それぞれ、第１バッテリ部２６０、及び第２バッテリ部３３０のバッテリ残量を計測する（Ｓ１０３０）。第１充電制御部２７０は、第１バッテリ部２６０の充電容量が所定値以上であるか否かを判断する（Ｓ１０４０）。例えば、第１充電制御部２７０は、撮像ユニット２０が所定時間以上動作するのに要される容量の電力が第１バッテリ部２６０に充電されているか否か、又は、第１バッテリ部２６０が満充電であるか否かを判断してよい。
【００５５】
そして、第１充電制御部２７０が、第１バッテリ部２６０の充電容量が所定値以上であると判断した場合には（Ｓ１０４０：Ｙｅｓ）、第１充電制御部２７０は、第１バッテリ部２６０から第２バッテリ部３３０に電力を供給させる（Ｓ１０５０）。これにより、第２バッテリ部３３０は、充電される（Ｓ１０６０）。一方、第１充電制御部２７０が、第１バッテリ部２６０の充電容量が所定値以上ではないと判断した場合には（Ｓ１０４０：Ｎｏ）、処理を終了する。
【００５６】
なお、上記の例においては第１バッテリ部２６０の充電容量が所定値以上の場合に、第１バッテリ部２６０から第２バッテリ部３３０に電力を供給して、第２バッテリ部３３０を充電する実施例を示したが、上記の例に限られない。第２バッテリ部３３０の充電容量が所定値以上の場合に、第２バッテリ部３３０から第１バッテリ部２６０に電力を供給させて、第１バッテリ部２６０を充電させてもよい。
【００５７】
本実施形態に係るデータ処理装置１０によれば、データ処理装置１０に外部電力供給手段９０が接続されている場合には、第１バッテリ部２６０を充電することができ、データ処理装置１０に外部電力供給手段９０が接続されていない場合には、第１バッテリ部２６０、及び第２バッテリ部３３０の充電容量に基づいて、第２バッテリ部３３０、又は、第１バッテリ部２６０を充電することができる。これにより、データ処理装置１０においては、撮像ユニット２０、及び表示ユニット３０の双方がバッテリ切れにより動作しなくなることを防止できる。
【００５８】
図７は、本実施形態に係るデータ処理装置１０における処理の流れの一例を示す。第１充電制御部２７０、及び第２充電制御部３４０において、第１メモリ２２０、及び第２メモリ３２０の空き容量が検出される（Ｓ１１００）。また、第１充電制御部２７０、及び第２充電制御部３４０は、第１メモリ２２０、及び第２メモリ３２０の全容量に対する空き容量の割合を算出してもよい。また、データ処理装置１０は、メモリ空き容量検出部を更に備えて、第１メモリ２２０、及び第２メモリ３２０の空き容量、及び全容量に対する空き容量の割合を算出させてもよい。
【００５９】
そして、第１充電制御部２７０、及び第２充電制御部３４０は、第１メモリ２２０の空き容量が第２メモリ３２０の空き容量よりも大きいか否かを判断する（Ｓ１１１０）。第１充電制御部２７０、及び第２充電制御部３４０において、第１メモリ２２０の空き容量が第２メモリ３２０の空き容量よりも大きいと判断された場合には（Ｓ１１１０：Ｙｅｓ）、第２充電制御部３４０は、第２バッテリ部３３０を優先的に充電する（Ｓ１１２０）。そして、第２バッテリ部３３０が満充電になった後に、第１充電制御部２７０は、第１バッテリ部２６０を充電する（Ｓ１１３０）。
【００６０】
一方、第１充電制御部２７０、及び第２充電制御部３４０において、第１メモリ２２０の空き容量が第２メモリ３２０の空き容量よりも小さいと判断された場合には（Ｓ１１１０：Ｎｏ）、第１充電制御部２７０は、第１バッテリ部２６０を優先的に充電してよい（Ｓ１１２５）。そして、第１バッテリ部２６０が満充電になった後に、第２充電制御部３４０は、第２バッテリ部３３０を充電してよい（Ｓ１１３５）。
【００６１】
本実施形態に係るデータ処理装置１０によれば、第１メモリ２２０、及び第２メモリ３２０の空き容量に応じて、充電の優先順位を決定できる。これにより、第２メモリ３２０の空き容量が少ない場合には、撮像ユニット２０よりも使用頻度が高くなる、表示ユニット３０が有する第２バッテリ部３３０の充電を優先させることができる。
【００６２】
図８は、本実施形態に係る画像撮像装置１５の機能構成の一例を示す。画像撮像装置１５は、撮像ユニット２５、表示ユニット３５、及びバッテリ２６５を備える。撮像ユニット２５は、撮像部２０５、小メモリ２２５、画像圧縮部６０、保存処理部５０、表示制御部２４５、及び小表示部２５５を有する。また、表示ユニット３５は、大メモリ３２５、大表示部３０５、及びバッテリ３３５を有する。ここで、画像撮像装置１５は、図１から図７の上記記載で説明したデータ処理装置１０、データ処理装置１２、及びデータ処理装置１４の構成、及び機能の一部又は全部を更に備えてよい。
【００６３】
撮像部２０５において撮像された画像は、表示ユニット３５が撮像ユニット２５に接続されている場合には、表示ユニット３５が備える大メモリ３２５に保存される。なお、大メモリ３２５は、撮像部２０５において撮像された撮像画像を保存する記憶装置であり、例えば、磁気記録媒体等を用いたハードディスクドライブであってよい。更に、大メモリ３２５は、画像撮像装置１５から着脱を自在にできる記憶装置として構成してよい。
【００６４】
また、撮像部２０５において画像が撮像されたときに表示ユニット３５が撮像ユニット２５に接続されていない状態、すなわち、撮像ユニット２５に大メモリ３２５が接続されていない状態においては、撮像部２０５において撮像された画像は、保存処理部５０により、いったん小メモリ２２５に保存されてよい。ここで、小メモリ２２５は、大メモリ３２５よりも記憶容量が小さい記憶装置であり、例えば、フラッシュメモリ等の半導体メモリであってよい。また、小メモリ２２５は、同一の容量の撮像画像を読み出すために要する消費電力が、大メモリ３２５よりも小さくてもよい。なお、撮像ユニット２５に大メモリ３２５が接続されている状態においても、保存処理部５０は、撮像部２０５において撮像された画像を、いったん小メモリ２２５に保存してもよい。
【００６５】
大メモリ３２５に保存された撮像画像は、画像圧縮部６０に供給される。また、撮像画像が小メモリ２２５に保存された場合には、小メモリ２２５に保存された撮像画像が、画像圧縮部６０に供給される。画像圧縮部６０は、受け取った撮像画像を不可逆圧縮する。例えば、画像圧縮部６０は、静止画像を不可逆圧縮する場合にはＪＰＥＧ等の画像圧縮方式を用いて撮像画像を圧縮してよい。また、画像圧縮部６０は、動画像を不可逆圧縮する場合にはＭＰＥＧ等の画像圧縮方式を用いて撮像画像を圧縮してよい。画像圧縮部６０は、圧縮画像を保存処理部５０へ供給する。
【００６６】
画像圧縮部６０は、不可逆圧縮の手段として、画像のサイズまたは解像度を縮小しても良い。また大メモリ３２５に保存される撮像画像は圧縮されていても良い。この場合、画像圧縮部６０は、不可逆圧縮の手段として、撮像画像を更に高い圧縮率で圧縮しても良い。より好ましくは、画像圧縮部６０は、例えば画像を領域毎に周波数変換して保存する場合に於いて、保存をする周波数成分の成分数、または周波数成分のレベルを表すビット数を減じることによって、画像の圧縮率を高めても良い。
【００６７】
保存処理部５０は、画像圧縮部６０から圧縮された圧縮画像を受け取り、小メモリ２２５に圧縮画像を供給する。小メモリ２２５は、受け取った圧縮画像と、当該圧縮画像の圧縮前の画像である撮像画像とを一意に識別できる画像識別子に対応付けて、圧縮画像を保存する。ここで、撮像部２０５において撮像された画像がいったん小メモリ２２５に保存された場合には、保存処理部５０は、小メモリ２２５に保存された複数の撮像画像をまとめて大メモリ３２５に移動してよい。また、保存処理部５０は、小メモリ２２５に保存された撮像画像を大メモリ３２５に自動的に移動してよい。なお、保存処理部５０は、撮像部２０５によって撮像された画像をいったん小メモリ２２５に保存して、非撮影時に、撮像画像を大メモリ３２５に移動してもよい。そして、保存処理部５０は、撮像部２０５によって撮像された画像をいったん小メモリ２２５に保存して、非撮影時に、撮像画像をまとめて大メモリ３２５に移動してもよい。
【００６８】
例えば、保存処理部５０は、画像撮像装置１５の保存処理部５０、及び小メモリ２２５を除く、各構成部分の少なくとも一部に電力が供給されていない場合に、撮像画像を自動的に小メモリ２２５から大メモリ３２５に移動させてよい。なお、保存処理部５０が小メモリ２２５から複数の撮像画像をまとめて大メモリ３２５に移動させるタイミングは、予め定められた枚数の画像が小メモリ２２５に保存された場合であってよい。保存処理部５０が小メモリ２２５から大メモリ３２５に複数の撮像画像をまとめて移動させることにより、消費電力が小メモリ２２５よりも大きな大メモリ３２５の駆動時間が減るので、画像撮像装置１５の電力の消費を少なくできる。
【００６９】
また、保存処理部５０は、小メモリ２２５の記憶容量の空き容量が、予め定められた基準値を下回った場合に、複数の撮像画像をまとめて大メモリ３２５に移動させてもよい。これにより、撮像部２０５において画像を撮像するたびに大メモリ３２５を稼動させて撮像画像を保存する場合よりも、大メモリ３２５を起動、駆動、及び停止させる回数が少ないので、画像撮像装置１５の消費電力を大幅に節約できる。なお、小メモリ２２５から大メモリ３２５に撮像画像が移動された場合には、小メモリ２２５に保存されている撮像画像は消去してよい。
【００７０】
更に、保存処理部５０は、画像撮像装置１５の外部から電力が供給されているときに、撮像画像を小メモリ２２５から大メモリ３２５に移動させて、圧縮画像を小メモリ２２５に保持してよい。そして、画像撮像装置１５の外部から電力が供給されていない場合には、保存処理部５０は、小メモリ２２５から大メモリ３２５への撮像画像の移動をさせずに、画像撮像装置１５に電力が供給されるまで撮像画像の大メモリ３２５への移動処理を待機させてよい。これにより、撮像画像の移動に対して画像撮像装置１５が備えるバッテリ２６５、及びバッテリ３３５が使用されないので、画像撮像装置１５のバッテリ２６５、及びバッテリ３３５の使用時間をより伸ばすことができる。したがって、ユーザは、より多くの枚数の画像を、画像撮像装置１５において撮像できる。
【００７１】
また、保存処理部５０は、撮像ユニット２５に大メモリ３２５が接続されていない状態において保存処理部５０によりいったん小メモリ２２５に保存された撮像画像を、撮像ユニット２５に大メモリ３２５が接続されているときに、小メモリ２２５から大メモリ３２５に撮像画像を移動させてよい。そして、保存処理部５０は、圧縮画像については小メモリ２２５に保持させてもよい。小メモリ２２５は、圧縮画像を、表示制御部２４５へ供給する。また、大メモリ３２５は、撮像画像を、大表示部３０５、及び外部表示装置１５０へ供給する。
【００７２】
表示制御部２４５は、小メモリ２２５から受け取った圧縮画像を小表示部２５５へ供給する。そして、小表示部２５５は受け取った圧縮画像を表示する。ここで、小表示部２５５は、撮像画像の画素数よりも少ない画素数を有する液晶表示装置等の表示装置であってよい。ユーザは、大メモリ３２５が画像撮像装置１５から取り外されている場合においても、撮像ユニット２５に備えられている小表示部２５５において、小メモリ２２５から読み出された圧縮画像を確認することができる。
【００７３】
ここで、圧縮画像を小表示部２５５に表示する場合に消費される電力は、圧縮画像のデータ量が撮像画像のデータ量よりも小さいので、撮像画像を小表示部２５５に表示する場合に比べて少ない。したがって、圧縮処理がなされていない撮像画像を小表示部２５５に表示するよりも、圧縮画像を小表示部２５５に表示することにより、小表示部２５５に画像を表示する場合の消費電力を抑制できる。また、半導体メモリにおける画像の読み出し、及び書き込みに消費される電力はハードディスクドライブよりも少ないので、小メモリ２２５が半導体メモリである場合には、小メモリ２２５がハードディスクドライブである場合よりも更に消費電力を少なくできる。
【００７４】
大表示部３０５は、小表示部２５５よりも多くの画素数を有しており、大メモリ３２５と一体に設けられていてよい。大表示部３０５は、例えば、液晶表示装置であってよく、撮像画像を小表示部２５５よりも鮮明に表示できる表示装置であってよい。そして、大表示部３０５は、大メモリ３２５から撮像画像を読み出して、撮像画像を表示する。また、外部表示装置１５０は、大メモリ３２５から撮像画像を受け取って表示する表示装置であってよく、例えば、ＰＣ等のモニタ、及びＨＤＴＶ等のテレビモニタであってよい。更に、外部表示装置１５０は、ハードディスク等の記憶装置を備え、大メモリ３２５から受け取った撮像画像を保存してもよい。
【００７５】
なお、バッテリ２６５は、撮像ユニット２５に含まれる撮像部２０５、小メモリ２２５、画像圧縮部６０、保存処理部５０、表示制御部２４５、及び小表示部２５５の各部に動作電力を供給する。また、バッテリ３３５は、表示ユニット３５に含まれる大メモリ３２５、及び大表示部３０５に動作電力を供給する。
【００７６】
本実施形態に係る画像撮像装置１５によれば、画像撮像装置１５が備える撮像ユニット２５に圧縮画像を保存できる。これにより、撮像画像を画像撮像装置１５から移動させた場合でも、画像撮像装置１５において既に撮像した画像を圧縮画像によって確認できる。したがって、ユーザが多数の画像を撮像した場合でも、既に撮像した被写体を再び撮像したり、まだ撮像していない被写体を撮像し忘れることを防止できる。
【００７７】
また、本実施形態に係る画像撮像装置１５によれば、大メモリ３２５よりも消費電力が小さい小メモリ２２５に撮像画像をいったん保存して、所定の条件の場合に小メモリ２２５から大メモリ３２５に撮像画像を移動できる。これにより、画像撮像装置１５の電力消費を抑制しつつ、画像を撮像することができる。そして、特に、画像撮像装置１５がバッテリにより駆動する場合には、画像撮像装置１５の消費電力を少なくすることにより、ユーザは、より長時間、様々な風景、及び被写体等を撮像できる。
【００７８】
また、本実施形態に係る画像撮像装置１５によれば、小メモリ２２５に撮像画像をいったん保存して、所定の条件の場合に小メモリ２２５から大メモリ３２５に撮像画像を移動できる。例えば、ユーザが画像撮像装置１５の電源を切った場合において、自動的に保存処理部５０が起動して、撮像画像を小メモリ２２５から大メモリ３２５に自動的に移動させる。これにより、ユーザは、小メモリ２２５の空き容量を気にかけることなく、画像を撮像することができる。
【００７９】
更に、本実施形態に係る画像撮像装置１５は、図３から図５の上記説明における構成を更に備えることができる。これにより、撮像ユニット２５、及び表示ユニット３５に優先順位をつけて撮像ユニット２５、及び表示ユニット３５に電力を供給するバッテリを充電することができる。
【００８０】
図９は、本実施形態に係る画像保存装置１６の機能構成の一例を示す。画像保存装置１６は、大メモリ３２５、小メモリ２２５、画像圧縮部６０、保存処理部５０、表示制御部２４５、小表示部２５５、及びバッテリ２６５を備える。ここで、大メモリ３２５、小メモリ２２５、画像圧縮部６０、保存処理部５０、表示制御部２４５、小表示部２５５、及びバッテリ２６５については、図８での上記説明において、同一の部材名で説明した各構成部分と略同一の機能を有するので、詳細な説明については省略する。また、画像保存装置１６は、図１から図７の上記記載で説明したデータ処理装置１０、データ処理装置１２、及びデータ処理装置１４の構成、及び機能の一部又は全部を更に備えてよい。
【００８１】
画像保存装置１６は、画像撮像装置１５、メモリ、及びインターネット等のネットワークから多数の撮像画像を受け取る。大メモリ３２５は、受け取った多数の撮像画像を、撮像画像を一意に識別できる画像識別子に対応付けて保存する。そして、大メモリ３２５は保存した撮像画像を画像圧縮部６０へ供給して、画像圧縮部６０は受け取った撮像画像を圧縮する。なお、大メモリ３２５は、外部表示装置１５０に撮像画像を供給してもよい。外部表示装置１５０に撮像画像を供給することにより、ユーザは、大画面で撮像画像を観賞できる。また、画像保存装置１６は、小表示部２５５よりも多くの画素数を有する大表示部を備えていてもよい。画像保存装置１６が大表示部を備えている場合には、ユーザは、画像保存装置１６において圧縮画像よりも大きなサイズであり、かつ、鮮明な撮像画像を確認することができる。
【００８２】
画像圧縮部６０において圧縮された圧縮画像は、保存処理部５０により、小メモリ２２５に供給され、小メモリ２２５は圧縮画像を、圧縮画像を一意に識別できる画像識別子に対応付けて保存する。そして、小メモリ２２５は圧縮画像を表示制御部２４５に供給する。続いて、表示制御部２４５は受け取った圧縮画像を小表示部２５５に供給する。小表示部２５５は、受け取った圧縮画像を表示する。なお、バッテリ２６５は、画像保存装置１６が備える、大メモリ３２５、小メモリ２２５、画像圧縮部６０、保存処理部５０、表示制御部２４５、小表示部２５５、及びバッテリ２６５の各部に動作電力を供給する。
【００８３】
本実施形態に係る画像保存装置１６によれば、画像撮像装置１５から受け取った多数の撮像画像を保存して、撮像画像の圧縮画像を表示できる。これにより、ユーザは、画像撮像装置１５とは別個の画像保存装置１６において、既に撮像した画像を圧縮画像として確認できる。したがって、例えば、画像撮像装置１５において画像を撮像するユーザと、画像保存装置１６を見ながら、未だ撮像されていない被写体の撮像を画像撮像装置１５を有するユーザに指示等をするユーザとに役割を分担させて画像を撮像できるので、ユーザは、観賞を欲する画像について効率的に撮像できる。
【００８４】
図１０は、本実施形態に係る画像撮像装置１７の機能構成の一例を示す。画像撮像装置１７は、撮像ユニット２６、遠隔操作ユニット３６、及びバッテリ２６５を備える。撮像ユニット２６は、撮像部２０５、大メモリ３２５、保存処理部５０、画像圧縮部６０、及び画像出力部７０を有する。なお、撮像ユニット２６は、例えば、デジタルカメラであってよい。一方、遠隔操作ユニット３６は、小メモリ２２５、表示制御部２４５、小表示部２５５、遠隔操作部８０、及びバッテリ３３５を有する。なお、遠隔操作ユニット３６は、例えば、携帯ビューワであってよい。また、画像撮像装置１７は、図１から図７の上記記載で説明したデータ処理装置１０、データ処理装置１２、及びデータ処理装置１４の構成、及び機能の一部又は全部を更に備えてよい。
【００８５】
撮像部２０５において撮像された画像は、保存処理部５０により、いったん小メモリ２２５に供給される。小メモリ２２５は、保存処理部５０を介して撮像部２０５より受け取った撮像画像を、撮像画像を一意に識別できる画像識別子に対応づけて保存する。ここで、小メモリ２２５は、大メモリ３２５よりも記憶容量、及び消費電力が小さい記憶装置であってよく、例えば、フラッシュメモリ等の半導体メモリであってよい。
【００８６】
小メモリ２２５は、撮像画像を画像圧縮部６０へ供給する。画像圧縮部６０は、小メモリ２２５から受け取った撮像画像を不可逆圧縮する。例えば、画像圧縮部６０は、静止画像を不可逆圧縮する場合にはＪＰＥＧ等の画像圧縮方式を用いて撮像画像を圧縮してよい。また、画像圧縮部６０は、動画像を不可逆圧縮する場合にはＭＰＥＧ等の画像圧縮方式を用いて撮像画像を圧縮してよい。保存処理部５０は、画像圧縮部６０から画像圧縮部６０において圧縮された圧縮画像を受け取り、小メモリ２２５に圧縮画像を供給する。小メモリ２２５は、保存処理部５０を介して画像圧縮部６０から受け取った圧縮画像と、当該圧縮画像の圧縮前の撮像画像とを一意に識別できる画像識別子に対応づけて保存する。小メモリ２２５は、圧縮画像を表示制御部２４５へ供給する。
【００８７】
画像圧縮部６０は、不可逆圧縮の手段として、画像のサイズまたは解像度を縮小しても良い。また大メモリ３２５に保存される撮像画像は圧縮されていても良い。この場合、画像圧縮部６０は、不可逆圧縮の手段として、撮像画像を更に高い圧縮率で圧縮しても良い。より好ましくは、画像圧縮部６０は、例えば画像を領域毎に周波数変換して保存する場合に於いて、保存をする周波数成分の成分数、または周波数成分のレベルを表すビット数を減じることによって、画像の圧縮率を高めても良い。
【００８８】
また、保存処理部５０は、小メモリ２２５にいったん保存された、撮像部２０５において撮像された複数の撮像画像をまとめて大メモリ３２５に移動させてよい。また、保存処理部５０は、小メモリ２２５に保存された撮像画像を大メモリ３２５に自動的に移動してよい。なお、保存処理部５０は、撮像部２０５によって撮像された画像をいったん小メモリ２２５に保存して、非撮影時に、撮像画像を大メモリ３２５に移動してもよい。そして、保存処理部５０は、撮像部２０５によって撮像された画像をいったん小メモリ２２５に保存して、非撮影時に、複数の撮像画像をまとめて大メモリ３２５に移動してもよい。
【００８９】
ここで、大メモリ３２５は、撮像部２０５において撮像された撮像画像を保存する記憶装置であり、例えば、磁気記録媒体を用いたハードディスクドライブであってよい。なお、保存処理部５０が小メモリ２２５から複数の撮像画像をまとめて大メモリ３２５に移動させるタイミングは、予め定められた枚数の画像が小メモリ２２５に保存された場合であってよい。更に、保存処理部５０は、小メモリ２２５の記憶容量の空き容量が、予め定められた基準値を下回った場合に、複数の撮像画像をまとめて大メモリ３２５に移動させてもよい。
【００９０】
これにより、撮像部２０５において画像を撮像するたびに大メモリ３２５を稼動させて撮像画像を保存する場合よりも、大メモリ３２５を起動、駆動、及び停止させる回数が少ないので、画像撮像装置１７の消費電力を節約できる。
【００９１】
そして、保存処理部５０は、画像撮像装置１７の外部から電力が供給されているときに、撮像画像を小メモリ２２５から大メモリ３２５に移動させて、圧縮画像を小メモリ２２５に保持させてよい。そして、画像撮像装置１７の外部から電力が供給されていない場合には、保存処理部５０は、小メモリ２２５から大メモリ３２５への撮像画像の移動をさせずに、画像撮像装置１７に電力が供給されるまで撮像画像の大メモリ３２５への移動処理を待機させてよい。なお、小メモリ２２５から大メモリ３２５は撮像画像を移動させた場合には、小メモリ２２５から撮像画像を消去してよい。これにより、圧縮画像よりも情報量の大きな撮像画像により、小メモリ２２５の記憶容量が圧迫されることを抑制できる。
【００９２】
これにより、画像撮像装置１７が備えるバッテリ２６５、及びバッテリ３３５が、撮像画像の移動に伴う電力消費に対して使用されないので、画像撮像装置１７のバッテリ２６５、及びバッテリ３３５の使用時間をより伸ばすことができる。したがって、ユーザは、画像撮像装置１７において、より多くの枚数の画像を撮像できる。
【００９３】
表示制御部２４５は、小メモリ２２５から受け取った圧縮画像を、小表示部２５５に供給する。小表示部２５５は、表示制御部２４５を介して小メモリ２２５から受け取った圧縮画像を表示する。小表示部２５５は、撮像画像の画素数よりも少ない画素数を有する表示部であってよく、例えば、液晶表示装置等の表示装置であってよい。
【００９４】
ここで、圧縮画像を小表示部２５５に表示する場合に消費される電力は、圧縮画像のデータ量が撮像画像のデータ量よりも小さいので、撮像画像を小表示部２５５に表示する場合に比べて少ない。したがって、圧縮処理がなされていない撮像画像を小表示部２５５に表示するよりも、圧縮画像を小表示部２５５に表示することにより、小表示部２５５に画像を表示する場合の消費電力を抑制できる。また、小メモリ２２５が半導体メモリである場合には、半導体メモリにおける画像の読み出し、及び書き込みの電力消費はハードディスクドライブよりも少ないので、画像撮像装置１７の消費電力を更に少なくできる。
【００９５】
遠隔操作部８０は、小メモリ２２５、及び小表示部２５５と一体に設けられている。なお、小メモリ２２５は、小表示部２５５と共に画像撮像装置１７から着脱自在であってよい。すなわち、遠隔操作ユニット３６は、画像撮像装置１７から着脱自在であってよい。これにより、ユーザが撮像ユニット２６を外部表示装置１５０に接続した場合において、遠隔操作ユニット３６を画像撮像装置１７が備える撮像ユニット２６から分離した状態で、ユーザ自身が遠隔操作ユニット３６を携帯できる。
【００９６】
遠隔操作部８０は、ユーザによって遠隔操作部８０の上で選択された圧縮画像に対応する撮像画像を指定する画像指定情報を画像出力部７０へ送信する。具体的には、ユーザは、遠隔操作ユニット３６の小表示部２５５に表示された圧縮画像の中から、外部表示装置１５０に表示したいとユーザが欲する撮像画像に対応する圧縮画像を選択する。ユーザが小表示部２５５に表示された圧縮画像を選択した場合には、遠隔操作部８０は、ユーザに選択された圧縮画像に対応付けられる画像指定情報を画像出力部７０へ送信する。なお、画像識別子は画像指定情報の一例である。また、遠隔操作部８０は、外部表示装置１５０に次に表示させる撮像画像に対応する圧縮画像を予め小表示部２５５に表示する。そして、ユーザによって当該撮像画像に対応する圧縮画像が選択された場合に、遠隔操作部８０は、当該圧縮画像に対応する撮像画像を指定する画像指定情報を画像出力部７０に送信してもよい。
【００９７】
画像出力部７０は、遠隔操作部８０から受信した画像指定情報に対応づけられて大メモリ３２５に保存されている撮像画像を大メモリ３２５から読み出す。そして、画像出力部７０は、大メモリ３２５から読み出された撮像画像を、撮像ユニット２６と接続されている外部表示装置１５０へ供給する。外部表示装置１５０は、画像出力部７０から受け取った撮像画像を表示する。なお、外部表示装置１５０は、例えば、ＰＣ等のモニタ、及びＨＤＴＶ等のテレビモニタであってよい。
【００９８】
なお、バッテリ２６５は、撮像ユニット２６に含まれる撮像部２０５、大メモリ３２５、保存処理部５０、画像圧縮部６０、及び画像出力部７０の各部に動作電力を供給する。また、バッテリ３３５は、遠隔操作ユニット３６に含まれる小メモリ２２５、表示制御部２４５、小表示部２５５、及び遠隔操作部８０に動作電力を供給する。
【００９９】
本実施形態に係る画像撮像装置１７によれば、撮像画像の圧縮画像を画像撮像装置１７が備える遠隔操作ユニット３６に保存でき、ユーザは遠隔操作ユニット３６に保存された圧縮画像を遠隔操作ユニット３６の小表示部２５５において確認できる。これにより、撮像ユニット２６を外部表示装置１５０に接続した状態においても、ユーザは、撮像ユニット２６から離れた位置で、遠隔操作ユニット３６においてユーザが観賞を欲する圧縮画像を選択するだけで、外部表示装置１５０にユーザが表示させたい撮像画像を自由に表示させることができる。
【０１００】
更に、本実施形態に係る画像撮像装置１７は、図３から図５の上記説明における構成を更に備えることができる。これにより、撮像ユニット２６、及び遠隔操作ユニット３６に優先順位をつけて撮像ユニット２６、及び遠隔操作ユニット３６に電力を供給するバッテリを充電することができる。
【０１０１】
図１１は、本実施形態に係る画像撮像装置１８の機能構成の一例を示す。ここで、撮像ユニット２６、遠隔操作ユニット３６、及びバッテリ２６５、並びに、撮像部２０５、大メモリ３２５、保存処理部５０、画像圧縮部６０、画像出力部７０、小メモリ２２５、表示制御部２４５、小表示部２５５、遠隔操作部８０、及びバッテリ３３５については、図１０での上記説明において、同一の部材名で説明した各構成部分と略同一の機能を有するので、詳細な説明については省略する。また、画像撮像装置１８は、図１から図７の上記記載で説明したデータ処理装置１０、データ処理装置１２、及びデータ処理装置１４の構成、及び機能の一部又は全部を更に備えてよい。
【０１０２】
撮像部２０５において撮像された画像は、まず、大メモリ３２５に撮像画像を一意に識別できる画像識別子に対応づけて保存されてよい。そして、大メモリ３２５は、撮像画像を画像圧縮部６０へ供給する。続いて、画像圧縮部６０において圧縮された圧縮画像は、保存処理部５０を介して、小メモリ２２５に供給される。小メモリ２２５は、圧縮画像を一意に識別できる画像識別子に対応づけて、圧縮画像を保存する。
【０１０３】
そして、小メモリ２２５に保存された圧縮画像は、表示制御部２４５を介して小表示部２５５に供給される。小表示部２５５は、受け取った圧縮画像を表示する。遠隔操作部８０は、ユーザによって遠隔操作部８０の上で選択された圧縮画像に対応する撮像画像を指定する画像指定情報を、画像出力部７０へ送信する。また、遠隔操作部８０は、外部表示装置１５０に次に表示させる撮像画像を予め小表示部２５５に表示して、ユーザによって当該撮像画像に対応する圧縮画像が選択された場合に、当該圧縮画像に対応する撮像画像を指定する画像指定情報を、画像出力部７０に送信してもよい。
【０１０４】
画像出力部７０は、遠隔操作部８０から受信した画像指定情報に対応付けられて大メモリ３２５に保存されている撮像画像を大メモリ３２５から読み出す。そして、画像出力部７０は、大メモリ３２５から読み出された撮像画像を、撮像ユニット２６と接続されている外部表示装置１５０へ供給する。外部表示装置１５０は、画像出力部７０から受け取った撮像画像を表示する。
【０１０５】
図１２は、本実施形態に係る画像保存装置１９の機能構成の一例を示す。画像保存装置１９は、画像保存ユニット２８、遠隔操作ユニット３８、及びバッテリ２６５を備える。画像保存ユニット２８は、大メモリ３２５、保存処理部５０、画像圧縮部６０、及び画像出力部７０を有する。なお、画像保存ユニット２８は、例えば、携帯ビューワであってよい。ここで、遠隔操作ユニット３８、及びバッテリ２６５、並びに、大メモリ３２５、保存処理部５０、画像圧縮部６０、画像出力部７０、小メモリ２２５、表示制御部２４５、小表示部２５５、遠隔操作部８０、及びバッテリ３３５については、図１１での上記説明において、同一の番号で説明した各構成部分と略同一の機能を有するので、詳細な説明については省略する。また、画像保存装置１９は、図１から図７の上記記載で説明したデータ処理装置１０、データ処理装置１２、及びデータ処理装置１４の構成、及び機能の一部又は全部を更に備えてよい。
【０１０６】
画像保存装置１９は、画像撮像装置１７、メモリ、及びインターネット等のネットワークから多数の撮像画像を受け取る。撮像画像は、大メモリ３２５に供給され、大メモリ３２５において撮像画像を一意に識別できる画像識別子に対応づけて保存される。そして、大メモリ３２５は、撮像画像を画像圧縮部６０へ供給する。続いて、画像圧縮部６０において圧縮された圧縮画像は、保存処理部５０を介して、小メモリ２２５に供給される。小メモリ２２５は、圧縮画像を一意に識別できる画像識別子に対応づけて、圧縮画像を保存する。なお、画像保存ユニット２８は、遠隔操作ユニット３８が有する小表示部２５５よりも画素数の多い表示装置を備えていてもよい。画像保存ユニット２８が係る表示装置を備えている場合には、ユーザは、画像保存装置１９が備える画像保存ユニット２８において撮像画像を確認できる。
【０１０７】
そして、小メモリ２２５に保存された圧縮画像は、表示制御部２４５を介して小表示部２５５に供給されて、小表示部２５５において圧縮画像が表示される。遠隔操作部８０は、ユーザによって遠隔操作部８０の上で選択された圧縮画像に対応する撮像画像を指定する画像指定情報を画像出力部７０へ送信する。また、遠隔操作部８０は、外部表示装置１５０に次に表示させる撮像画像を予め小表示部２５５に表示して、ユーザによって当該撮像画像に対応する圧縮画像が選択された場合に、当該圧縮画像に対応する撮像画像を指定する画像指定情報を画像出力部７０に送信してもよい。
【０１０８】
画像出力部７０は、遠隔操作部８０から受信した画像指定情報に対応づけられて大メモリ３２５に保存されている撮像画像を大メモリ３２５から読み出す。そして、画像出力部７０は、大メモリ３２５から読み出した撮像画像を、撮像ユニット２６と接続されている外部表示装置１５０へ供給する。外部表示装置１５０は、画像出力部７０から受け取った撮像画像を表示する。
【０１０９】
本実施形態に係る画像保存装置１９によれば、画像撮像装置１７等から受け取った撮像画像の圧縮画像を、画像保存装置１９が備える遠隔操作ユニット３８に保存でき、ユーザは遠隔操作ユニット３８に保存された圧縮画像を遠隔操作ユニット３８の小表示部２５５において確認できる。これにより、画像保存ユニット２８を外部表示装置１５０に接続した状態においても、ユーザは、画像保存ユニット２８から離れた位置から、遠隔操作ユニット３８においてユーザが観賞を欲する圧縮画像を選択するだけで、外部表示装置１５０にユーザが観賞したい撮像画像を自由に表示させることができる。
【０１１０】
更に、本実施形態に係る画像保存装置１９は、図１から図７の上記記載で説明したデータ処理装置１０、データ処理装置１２、及びデータ処理装置１４の構成、及び機能の一部又は全部を更に備えてよい。これにより、画像保存ユニット２８、及び遠隔操作ユニット３８に優先順位をつけて画像保存ユニット２８、及び遠隔操作ユニット３８に電力を供給するバッテリを充電することができる。
【０１１１】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【０１１２】
【図１】データ処理装置１０の概念図である。
【図２】データ処理装置１４の概念図である。
【図３】データ処理装置１０の機能構成を示すブロック図である。
【図４】データ処理装置１２の機能構成を示すブロック図である。
【図５】データ処理装置１４の機能構成を示すブロック図である。
【図６】データ処理装置１０の処理の流れを示すフローチャートである。
【図７】データ処理装置１０の処理の流れを示すフローチャートである。
【図８】画像撮像装置１５の機能構成を示すブロック図である。
【図９】画像保存装置１６の機能構成を示すブロック図である。
【図１０】画像撮像装置１７の機能構成を示すブロック図である。
【図１１】画像撮像装置１８の機能構成を示すブロック図である。
【図１２】画像保存装置１９の機能構成を示すブロック図である。
【符号の説明】
【０１１３】
１０、１２、１４  データ処理装置
１５、１７、１８  画像撮像装置
１６、１９  画像保存装置
２０、２２、２５、２６  撮像ユニット
２８  画像保存ユニット
３０、３２、３４、３５  表示ユニット
３６、３８  遠隔操作ユニット
４０、４２  充電器
５０  保存処理部
６０  画像圧縮部
７０  画像出力部
８０  遠隔操作部
９０  外部電力供給手段
１５０  外部表示装置
２００、２０５  撮像部
２１０  第１データ制御部
２２０  第１メモリ
２２５  小メモリ
２３０  データ転送制御部
２４０、２４５  表示制御部
２５０  表示部
２５５  小表示部
２６０  第１バッテリ部
２６５  バッテリ
２７０  第１充電制御部
２８０  第１電力供給端子
３００  表示部
３０５  大表示部
３１０  第２データ制御部
３２０  第２メモリ
３２５  大メモリ
３３０  第２バッテリ部
３３５  バッテリ
３４０  第２充電制御部
３５０  第２電力供給端子
４００  プライマリ端子
４１０  セカンダリ端子
４１８  端子
４２０  充電制御部
４５０  切り替えスイッチ
【図１】
2007053598.tif 000003
【図２】
2007053598.tif 000004
【図３】
2007053598.tif 000005
【図４】
2007053598.tif 000006
【図５】
2007053598.tif 000007
【図６】
2007053598.tif 000008
【図７】
2007053598.tif 000009
【図８】
2007053598.tif 000010
【図９】
2007053598.tif 000011
【図１０】
2007053598.tif 000012
【図１１】
2007053598.tif 000013
【図１２】
2007053598.tif 000014